(57)【要約】【課題】表示面を視認できない状況においても、表示面上での操作による情報入力を容易にすることができるタッチ検出機能付き表示装置を提供することにある。【解決手段】タッチ検出機能付き表示装置は、静電容量式のタッチ検出装置を有し、画像を表示する表示面を有する表示パネルを含む。タッチ検出機能付き表示装置は、表示パネルの表示面側に重ねられ、表示パネルと対向する表面と反対側の表面である被タッチ表面の側に凹部または凸部を有するカバー材を含む。タッチ検出機能付き表示装置は、タッチ検出装置が凹部または凸部の近傍で静電容量の変化を検出したときに信号を発信できる制御手段を含む。【選択図】図１
2015055938.tif 000002
【特許請求の範囲】
【請求項１】
静電容量式のタッチ検出装置を有し、画像を表示する表示面を有する表示パネルと、
前記表示パネルの前記表示面側に重ねられ、前記表示パネルと対向する表面と反対側の表面である被タッチ表面の側に凹部または凸部を有するカバー材と、
前記タッチ検出装置が前記凹部または前記凸部の近傍で静電容量の変化を検出したときに信号を発信できる制御手段と、
を含むタッチ検出機能付き表示装置。
【請求項２】
前記制御手段は、前記タッチ検出装置により検出される静電容量が変化した位置の軌跡に応じて前記信号を変化させることができる
請求項１に記載のタッチ検出機能付き表示装置。
【請求項３】
前記カバー材は、前記被タッチ表面にアンチグレア処理が施される
請求項１または２に記載のタッチ検出機能付き表示装置。
【請求項４】
前記カバー材は、前記被タッチ表面にアンチリフレクション処理が施される
請求項１から３のいずれか１項に記載のタッチ検出機能付き表示装置。
【請求項５】
前記カバー材は、前記被タッチ表面に撥水性塗膜または撥油性塗膜を有する
請求項１から４のいずれか１項に記載のタッチ検出機能付き表示装置。
【請求項６】
前記カバー材は、前記被タッチ表面に親水性塗膜または親油性塗膜を有する
請求項１から４のいずれか１項に記載のタッチ検出機能付き表示装置。
【請求項７】
前記表示パネルと前記カバー材との間に、光学弾性樹脂を有する
請求項１から６のいずれか１項に記載のタッチ検出機能付き表示装置。
【請求項８】
前記被タッチ表面の一部に重なる透明フィルムをさらに備え、
前記凹部の壁面は、前記透明フィルムの断面を含む
請求項１から７のいずれか１項に記載のタッチ検出機能付き表示装置。
【請求項９】
前記被タッチ表面の一部に重ねられる透明フィルムをさらに備え、
前記凸部の壁面は、前記透明フィルムの断面を含む
請求項１から７のいずれか１項に記載のタッチ検出機能付き表示装置。
【請求項１０】
前記凹部または前記凸部は、前記被タッチ表面に対して垂直な方向から見た形状が円形である
請求項１から９のいずれか１項に記載のタッチ検出機能付き表示装置。
【請求項１１】
前記凹部または前記凸部は、前記被タッチ表面に対して垂直な方向から見た形状が長方形である
請求項１から９のいずれか１項に記載のタッチ検出機能付き表示装置。
【請求項１２】
前記凹部または前記凸部は、前記被タッチ表面に対して垂直な方向から見た形状が三角形である
請求項１から９のいずれか１項に記載のタッチ検出機能付き表示装置。
【請求項１３】
前記凹部または前記凸部は、前記被タッチ表面に対して垂直な方向から見た形状が十字形である
請求項１から９のいずれか１項に記載のタッチ検出機能付き表示装置。
【請求項１４】
前記カバー材は、前記被タッチ表面が凸曲面または凹曲面である
請求項１から１３のいずれか１項に記載のタッチ検出機能付き表示装置。
【請求項１５】
静電容量式のタッチ検出装置を有し、画像を表示する表示面を有する表示パネルと、
前記表示パネルの前記表示面側に重ねられ、前記表示パネルと対向する表面と反対側の表面である被タッチ表面の側に凹部または凸部を有するカバー材と、
前記タッチ検出装置が前記凹部または前記凸部の近傍で静電容量の変化を検出したときに信号を発信できる制御手段と、
を含む電子機器。
【請求項１６】
静電容量式のタッチ検出装置と、画像を表示する表示面とを有する表示パネルに重ねるためのカバー材であって、
前記表示パネルと対向する表面と反対側の表面である被タッチ表面の側に凹部または凸部を備える、カバー材。
【発明の詳細な説明】
【技術分野】
【０００１】
本発明は、外部から接近する対象物を検出可能なタッチ検出機能付き表示装置、電子機器およびカバー材に関する。
【背景技術】
【０００２】
近年、いわゆるタッチパネルと呼ばれる、外部から接近する物体を対象物として検出可能なタッチ検出装置が注目されている。タッチ検出装置は、例えば、表示装置と組み合わされ、表示装置に各種の入力用の画像等を表示させることにより、情報を入力するための装置として用いられる。このように、タッチ検出装置を表示装置と組み合わせることにより、キーボード、マウスまたはキーパッドのような入力装置を用いなくても情報の入力が可能になる。
【０００３】
タッチ検出装置の方式として、光学式、抵抗式、静電容量式などが存在する。静電容量式のタッチ検出装置は、携帯端末などに用いて、比較的単純な構造であり、かつ低消費電力が実現できる。例えば、特許文献１及び特許文献２には、静電容量式のタッチパネルが記載されている。
【先行技術文献】
【特許文献】
【０００４】
【特許文献１】特開２０１１−２３３０１８号公報
【特許文献２】特開２０１２−０４７８０７号公報
【発明の概要】
【発明が解決しようとする課題】
【０００５】
機械式ボタンの操作によって情報入力を行う場合、操作者は、機械式ボタンを視認しながら情報入力できるとともに、機械式ボタンを視認しなくても機械式ボタンが指に触れる感覚によって情報入力することができる。しかし、タッチ検出機能付き表示装置の表示面上での操作によって情報入力を行う場合、操作者は、表示面を視認しながらでなければ容易に情報入力をできない可能性がある。また、表示面を視認せずに操作する必要がある場面は、日常的に発生する可能性がある。そこで、表示面を視認できない状況においても、表示面上での操作による情報入力を容易にすることができるタッチ検出機能付き表示装置が望まれる。
【０００６】
本開示は、上記の課題に鑑みてなされたもので、表示面を視認できない状況においても、表示面上での操作による情報入力を容易にすることができるタッチ検出機能付き表示装置を提供することを目的とする。
【課題を解決するための手段】
【０００７】
本開示によるタッチ検出機能付き表示装置は、静電容量式のタッチ検出装置を有し、画像を表示する表示面を有する表示パネルと、前記表示パネルの前記表示面側に重ねられ、前記表示パネルと対向する表面と反対側の表面である被タッチ表面の側に凹部または凸部を有するカバー材と、前記タッチ検出装置が前記凹部または前記凸部の近傍で静電容量の変化を検出したときに信号を発信できる制御手段と、を含む。
【０００８】
本開示の電子機器は、上記タッチ検出機能付き表示装置を備えたものである。本開示の電子機器は、例えば、テレビジョン装置、デジタルカメラ、パーソナルコンピュータ、ビデオカメラあるいは携帯電話等の携帯端末装置などが該当する。
【発明の効果】
【０００９】
本開示のタッチ検出機能付き表示装置及び電子機器は、表示面を視認できない状況においても、表示面上での操作による情報入力を容易にすることができる。
【図面の簡単な説明】
【００１０】
【図１】図１は、実施形態１に係るタッチ検出機能付き表示装置の分解模式図である。
【図２】図２は、実施形態１に係るカバー材の正面図である。
【図３】図３は、実施形態１に係るカバー材の背面図である。
【図４】図４は、図１におけるＡ−Ａ’断面を示す図である。
【図５】図５は、透明フィルムを用いて凹部を形成する場合の図１におけるＡ−Ａ’断面を示す図である。
【図６】図６は、タッチ検出装置と制御手段との関係を説明するブロック図である。
【図７】図７は、実施形態２に係るタッチ検出機能付き表示装置の分解模式図である。
【図８】図８は、図７におけるＢ−Ｂ’断面を示す図である。
【図９】図９は、透明フィルムを用いて凸部を形成する場合の図７におけるＢ−Ｂ’断面を示す図である。
【図１０】図１０は、変形例１に係るカバー材を示す斜視図である。
【図１１】図１１は、変形例２に係るカバー材を示す斜視図である。
【図１２】図１２は、変形例３に係るカバー材を示す斜視図である。
【図１３】図１３は、実施形態および変形例に係るタッチ検出機能付き表示装置を適用する電子機器の一例を示す図である。
【発明を実施するための形態】
【００１１】
本開示を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施形態（タッチ検出機能付き表示装置）
１−１．実施形態１
１−２．実施形態２
２．適用例（電子機器）
上記実施形態に係るタッチ検出機能付き表示装置が電子機器に適用されている例
３．本開示の構成
【００１２】
＜１．実施形態（タッチ検出機能付き表示装置）＞
[１−１．実施形態１]
図１は、実施形態１に係るタッチ検出機能付き表示装置の分解模式図である。図２は、実施形態１に係るカバー材の正面図である。図３は、実施形態１に係るカバー材の背面図である。図１に示すように、タッチ検出機能付き表示装置１は、表示パネルである液晶パネル３０と、緩衝層２０、カバー材１０と、を備えている。なお、タッチ検出機能付き表示装置１は、液晶パネル３０に代えて有機ＥＬモジュールを備えていてもよい。
【００１３】
液晶パネル３０は、２枚の透明基板の間に液晶層を有する。実施形態１の液晶パネル３０は、ＦＦＳ（Ｆｒｉｎｇｅ  Ｆｉｅｌｄ  Ｓｗｉｔｃｈｉｎｇ）型の液晶パネルであり、一方の透明基板に駆動電極と、画素に対応して形成されたマトリクス状に配置された画素電極が積層されている。また、２つの透明基板の少なくとも一方には、例えば、Ｒ（赤）、Ｇ（緑）及びＢ（青）等のフィルタが画素に対応して配置されたカラーフィルタが設けられている。液晶パネル３０は、画素電極と駆動電極のいずれか一方に開口が形成されており、開口からもれた電界（フリンジ電界）で液晶を駆動させる。液晶パネル３０は、画像信号に基づいて、各画素での光の透過と遮断を切り換えることで、画像を表示させる。なお、液晶パネル３０は、ＩＰＳ（Ｉｎ−Ｐｌａｎｅ  Ｓｗｉｔｃｈｉｎｇ）型、ＴＮ（Ｔｗｉｓｔｅｄ  Ｎｅｍａｔｉｃ）型、ＯＣＢ（Ｏｐｔｉｃａｌｌｙ  Ｃｏｍｐｅｎｓａｔｅｄ  Ｂｅｎｄ、Ｏｐｔｉｃａｌｌｙ  Ｃｏｍｐｅｎｓａｔｅｄ  Ｂｉｒｅｆｒｉｎｇｅｎｃｅ）型、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）型の液晶であってもよい。また、液晶パネル３０は、電圧がかかっていない状態で光を透過せず表示が黒になるノーマリーブラック、電圧がかかっていない状態で光を透過し表示が白になるノーマリーホワイトのいずれの方式も用いることができる。
【００１４】
液晶パネル３０は、静電容量式のタッチ検出装置４０を有する。例えば、タッチ検出装置４０は、１つの平面に配列される複数の駆動電極と、複数の駆動電極が配列される平面とは異なる平面に配列される複数の検出電極としてのタッチ検出電極とを有する。複数の駆動電極は、それぞれ第１の方向に向かって延在し、かつ第１の方向と交差する第２の方向に向かって配列される。複数のタッチ検出電極は、それぞれ当該第２の方向に向かって延在し、かつ当該第１の方向に向かって配列される。それぞれのタッチ検出電極は、複数の駆動電極と所定の間隔をもって交差している。すなわち、それぞれのタッチ検出電極は、複数の駆動電極と立体交差している。駆動電極とタッチ検出電極とが交差する部分には、静電容量が生じる。
【００１５】
タッチ検出装置４０は、タッチ検出電極と電気的に接続されたタッチ検出部を有する。タッチ検出電極と駆動電極とが交差する部分の静電容量の変化は、タッチ検出信号としてタッチ検出部に入力される。タッチ検出部は、駆動電極とタッチ検出電極とが交差する部分のうち、静電容量が変化した部分をタッチ検出信号に基づいて検出する。タッチ検出部は、タッチ検出信号に基づき、対象物がタッチ検出装置４０に接触または近接した位置を特定する。以下の説明において、対象物がタッチ検出装置４０に接触または近接することは、適宜タッチと表記される。
【００１６】
なお、実施形態１において、駆動電極とタッチ検出電極とが立体交差し、両者が対向する部分の静電容量の変化に基づきタッチを検出するが、静電容量が発生する位置は、両者が対向する部分に限定されるものではない。例えば、タッチ検出装置４０は、駆動電極から引き出された導体と、タッチ検出電極から引き出された導体とを同一平面に配置し、両方の導体の間に発生する静電容量に基づきタッチを検出してもよい。すなわち、タッチ検出装置４０は、駆動電極とタッチ検出電極との間に発生する静電容量に基づいてタッチを検出すればよい。
【００１７】
緩衝層２０は、液晶パネル３０とカバー材１０との間に配置される。例えば、緩衝層２０は、光学弾性樹脂であり、屈折率がカバー材１０および液晶パネル３０の透明基板の屈折率と同じになっている。光学弾性樹脂は、弾性を有するため、外部からの衝撃をやわらげ、液晶パネル３０の破損する可能性を低減することができる。また、光学弾性樹脂は、屈折率がカバー材１０および液晶パネル３０の透明基板と同じであるため、カバー材１０と光学弾性樹脂との境界および光学弾性樹脂と液晶パネル３０との境界における光の反射を低減することができる。なお、緩衝層２０は、エアギャップであってもよい。ただし、緩衝層２０が光学弾性樹脂の場合、屈折率がカバー材１０および液晶パネル３０の透明基板と同じにできる。このため、緩衝層２０は、光学弾性樹脂であることが好ましい。なお、光学弾性樹脂の屈折率は、カバー材１０および液晶パネル３０の透明基板の屈折率と全く同じでなくてもよく、近い値であってもよい。
【００１８】
また、例えば、実施形態１において、光学弾性樹脂は、熱を加えられることで硬化する特性を有する。これにより、光学弾性樹脂が液晶パネル３０とカバー材１０との間に配置された状態で光学弾性樹脂に熱が加えられることで、光学弾性樹脂は、液晶パネル３０とカバー材１０とを接着する。なお、光学弾性樹脂は、紫外線を照射されることで硬化する特性を有していてもよい。
【００１９】
カバー材１０は、液晶パネル３０の画像を表示する表示面側に重ねられ、表示面を被覆して保護する部材である。例えば、カバー材１０は、ガラスで形成されており、表示面に対して垂直方向から見た形状が長方形である。カバー材１０は、液晶パネル３０と対向する表面と反対側の表面である被タッチ表面１０ｆの側に凹部１１、１２、１３を有する。タッチ検出装置４０は、静電容量式であるため、対象物が被タッチ表面１０ｆへ接触または近接したことを検出できる。例えば、実施形態１において、当該対象物は、人間の指である。また、図３に示すとおり、カバー材１０の液晶パネル３０と対向する表面である背面１０ｂは、平坦であって緩衝層２０と接触する。なお、カバー材１０は、液晶パネル３０の表面を保護することができ、液晶パネル３０に表示された画像を透過させることができればよく、例えば透明な樹脂のように光を透過する種々の材料で形成することができる。また、カバー材１０は、表示面に対して垂直方向から見た形状が正方形または円形等の長方形以外の形状であってもよい。
【００２０】
図１〜３に示すとおり、例えば、実施形態１における凹部１１、１３は、被タッチ表面１０ｆに対して垂直な方向から見た形状が円形であり、凹部１２は、被タッチ表面１０ｆに対して垂直な方向から見た形状が略長方形である。以下の説明において、被タッチ表面１０ｆに対して垂直な方向から見た形状は、単に平面形状と表記される。凹部１２は、凹部１１と凹部１３との間に配置されており、凹部１２の長辺方向は、凹部１１の中心と凹部１３の中心を結ぶ直線方向と平行である。また、凹部１１、１２、１３は、カバー材１０の長辺に沿うように配置されており、被タッチ表面１０ｆにおいて中央よりも当該長辺に寄って配置されている。
【００２１】
なお、凹部１１、１２、１３の配置は、上記のような配置に限らず、自由に配置されてよい。例えば、凹部１１、１２、１３は、カバー材１０の短辺に沿うように並べて配置されてもよいし、被タッチ表面１０ｆの中央に並べて配置されていてもよい。ただし、凹部１１、１２、１３が被タッチ表面１０ｆの中央よりも長辺または短辺に寄って配置されていた方が、凹部１１、１２、１３が目立ちにくくなる点で好ましい。また、カバー材１０は、凹部１１、１２、１３を有さなくてもよく、例えば、凹部１１、１２、１３のうちいずれか１つまたは２つを組み合わせて有していてもよい。
【００２２】
図４は、図１におけるＡ−Ａ’断面を示す図である。図４に示すように、凹部１２は、被タッチ表面１０ｆに設けられた深さが寸法Ｌ１の溝である。これにより、操作者は、凹部１２の縁に触れることで、凹部１２の位置を知ることができる。例えば、凹部１２は、被タッチ表面１０ｆを切削することにより形成される。また、例えば実施形態１における寸法Ｌ１は、０．１ｍｍである。なお、寸法Ｌ１は、０．０２ｍｍ以上０．５ｍｍ以下であることが好ましい。寸法Ｌ１が０．０２ｍｍ以上である場合、カバー材１０は、人間が指の触覚によって凹部１２を認識する可能性を高めることができる。寸法Ｌ１が０．５ｍｍ以下である場合、カバー材１０は、凹部１２が液晶パネル３０の表示画像の視認を妨げる可能性を低減することができる。また、上記の説明は凹部１２に関する説明であるが、凹部１１、１３についても上記の説明が適用できる。これより、タッチ検出機能付き表示装置１によれば、操作者は、凹部１１、１２、１３に触れることで、液晶パネル３０の表示面を視認せずに凹部１１、１２、１３の位置を知ることができる。
【００２３】
なお、実施形態１における凹部１１、１２、１３は、被タッチ表面１０ｆを切削して形成されているが、透明フィルムを用いて形成されてもよい。図５は、透明フィルムを用いて凹部を形成する場合の図１におけるＡ−Ａ’断面を示す図である。透明フィルムＦ１を用いて凹部を形成する場合、透明フィルムＦ１は、例えば、略長方形の貫通孔を有し被タッチ表面１０ｆの一部に重なる。凹部１２の壁面は、透明フィルムＦ１の断面である当該貫通孔の断面である。例えば、透明フィルムＦ１は、ポリエチレンテレフタレート等で形成される飛散防止フィルムであり、厚みが寸法Ｌ１である。これにより、操作者は、凹部１２の縁に触れることで、凹部１２の位置を知ることができる。また、透明フィルムＦ１は、円形の貫通孔を２つ有している。凹部１１の壁面は、２つの当該貫通孔のうち一方の貫通孔の断面である。凹部１３の壁面は、２つの当該貫通孔のうち他方の貫通孔の断面である。これより、タッチ検出機能付き表示装置１によれば、操作者は、凹部１１、１２、１３に触れることで、液晶パネル３０の表示面を視認せずに凹部１１、１２、１３の位置を知ることができる。タッチ検出機能付き表示装置１は、透明フィルムＦ１を備えることで、被タッチ表面１０ｆを切削するよりも容易に凹部１１、１２、１３を形成することができる。なお、凹部１１、１２、１３の壁面は、一部に透明フィルムＦ１の断面を含んでいてもよい。例えば、凹部１１、１２、１３の壁面の一部が透明フィルムＦ１の断面であって、壁面のその他の部分がタッチ検出機能付き表示装置１を取り付ける筐体等で形成されていてもよい。
【００２４】
図６は、タッチ検出装置と制御手段との関係を説明するブロック図である。タッチ検出機能付き表示装置１は、タッチ検出装置４０に接続される制御手段５０を有する。被タッチ表面１０ｆのうち指が接触または近接する部分は、静電容量が変化する。タッチ検出装置４０が凹部１１、１２、１３のうちいずれかの凹部の近傍で静電容量の変化を検出したとき、制御手段５０は、当該凹部に割り当てられた入力機能に応じて信号を発信させることができる。また、制御手段５０は、タッチ検出装置４０により検出される静電容量が変化する位置の軌跡に応じて発信する信号を変化させることができる。また、タッチ検出装置４０が凹部１１、１２、１３のうちいずれかの凹部の近傍でない位置で静電容量の変化を検出したとき、制御手段５０は、部１１、１２、１３のそれぞれに割り当てられた入力機能に応じた信号を発信しない。また、凹部の近傍は、タッチ検出装置４０のうち凹部の縁、凹部の縁より内側の部分または凹部の縁の周辺部分に重なる部分を意味する。
【００２５】
制御手段５０は、位置形状記憶手段５１と、軌跡記憶手段５２と、比較手段５３と、出力手段５４を有し、タッチ検出装置４０と機器制御手段６０とに接続されている。制御手段５０は、例えば、マイクロコンピュータであって、ＣＰＵ（Central  Processing  Unit）と、ＲＯＭ（Read  Only  Memory）と、ＲＡＭ（Random  Access  Memory）と、入出力回路（Ｉ／Ｏ（：Input/Output）  Device）とを含む。位置形状記憶手段５１は、例えば、メモリとしてのＲＡＭに保持される情報により、凹部１１、１２、１３の位置および平面形状を記憶している。軌跡記憶手段５２は、ＣＰＵ、ＲＯＭ及びＲＡＭにより実現される機能であって、ＣＰＵで演算された、タッチ検出装置４０によって検出される静電容量が変化した位置の軌跡を例えばメモリとしてのＲＡＭに記憶する。比較手段５３は、ＣＰＵ、ＲＯＭ及びＲＡＭにより実現される機能であって、タッチ検出装置４０によって検出される静電容量が変化した位置の情報と位置形状記憶手段５１に記憶された情報とを比較することができ、また比較手段５３は、軌跡記憶手段５２に記憶された情報と位置形状記憶手段５１に記憶された凹部１１、１２、１３の位置および平面形状の情報とを比較することができる。出力手段５４は、ＣＰＵ、ＲＯＭ、ＲＡＭ及び入出力回路により実現される機能であって、比較手段５３による比較の結果に応じて信号を機器制御手段６０へ発信する手段である。
【００２６】
例えば、制御手段５０は、タッチ検出装置４０が検出する、静電容量が変化した位置の情報を一定時間ごとに取り込む。比較手段５３は、タッチ検出装置４０によって検出される静電容量が変化した位置と位置形状記憶手段５１に記憶された凹部１１、１２、１３の位置とを比較する。当該比較の結果、タッチ検出装置４０が凹部１１、１２、１３のうちいずれかの凹部の近傍で静電容量の変化を検出していた場合、比較手段５３は、出力手段５４に信号を発信させる。出力手段５４は、液晶パネル３０を制御する機器制御手段６０に対して信号を発信する。例えば、機器制御手段６０は、出力手段５４からの信号を受信すると、液晶パネル３０を当該信号の変化を待ち受ける状態にする。
【００２７】
軌跡記憶手段５２は、タッチ検出装置４０から受け取った情報から静電容量が変化した位置の軌跡を演算し、記憶する。タッチ検出装置４０から受け取った情報から演算された、静電容量が変化した位置の軌跡は、例えば、指が被タッチ表面１０ｆ上で移動したときの軌跡である。さらに、軌跡記憶手段５２は、タッチ検出装置４０から受け取った情報と当該情報を受け取った時間とから、静電容量が変化した位置の移動方向および移動速度を演算し、記憶する。タッチ検出装置４０が凹部１１、１２、１３のうちいずれかの凹部の近傍で静電容量の変化を検出したと判定した比較手段５３は、軌跡記憶手段５２に記憶された静電容量が変化した位置の軌跡と位置形状記憶手段５１に記憶された凹部１１、１２、１３のうち静電容量が変化した位置に最も近い凹部の平面形状とを比較する。当該比較の結果、当該軌跡が当該凹部の平面形状に沿っていた場合、比較手段５３は、軌跡記憶手段５２に記憶された静電容量が変化した位置の移動方向および移動速度に応じて、出力手段５４が発信する信号を変化させる。このように、制御手段５０は、タッチ検出装置４０により検出される静電容量が変化した位置の軌跡に応じて出力手段５４が発信する信号を変化させる。機器制御手段６０は、出力手段５４からの信号の変化に応じて、液晶パネル３０を制御する。なお、機器制御手段６０が制御する対象は、外部装置であるオーディオまたは空調設備等であってもよい。
【００２８】
機器制御手段６０は、例えば、出力手段５４からの信号の変化に応じて液晶パネル３０を制御することで、表示画像を拡大または縮小させる。また、機器制御手段６０は、出力手段５４からの信号の変化に応じて液晶パネル３０を制御することで、表示の輝度を調節させてもよいし、表示画像をスクロールさせてもよい。また、機器制御手段６０は、出力手段５４からの信号の変化に応じて外部装置であるオーディオを制御することで、オーディオの音量を調節させてもよいし選曲をさせてもよい。また、機器制御手段６０は、出力手段５４からの信号の変化に応じて外部装置である空調設備を制御することで、空調の温度を調節させてもよいし風量を調節させてもよい。なお、タッチ検出装置４０が凹部１１、１２、１３のうちいずれかの凹部の近傍で静電容量の変化を検出した時点で、機器制御手段６０は、液晶パネル３０を制御することで、液晶パネル３０の凹部１１、１２、１３と重なる部分に各種の入力用の画像等を表示させてもよい。
【００２９】
上述したように、凹部１１の平面形状は円形である。指が被タッチ表面１０ｆに接触または近接すると、タッチ検出装置４０は、静電容量が変化した位置を検出する。比較手段５３は、タッチ検出装置４０によって検出される静電容量が変化した位置と位置形状記憶手段５１に記憶された凹部１１、１２、１３の位置とを比較する。例えば、指が凹部１１に接触または近接した場合、当該比較の結果、比較手段５３は、タッチ検出装置４０が凹部１１の近傍で静電容量の変化を検出したと判定する。指が凹部１１に接触または近接した後、凹部１１の縁に沿って移動した場合、軌跡記憶手段５２は、タッチ検出装置４０から受け取った情報から静電容量が変化した位置の軌跡を演算し、円形状の軌跡を記憶する。さらに、軌跡記憶手段５２は、タッチ検出装置４０から受け取った情報と当該情報を受け取った時間とから、静電容量が変化した位置の移動方向および移動速度を演算し、記憶する。そして、タッチ検出装置４０が凹部１１の近傍で静電容量の変化を検出したと判定した比較手段５３は、軌跡記憶手段５２に記憶された円形状の軌跡と位置形状記憶手段５１に記憶された凹部１１の平面形状とを比較する。指が凹部１１の縁に沿って移動したので、当該比較の結果、比較手段５３は、円形状の軌跡が凹部１１の平面形状に沿っていると判定する。当該判定をした比較手段５３は、軌跡記憶手段５２に記憶された静電容量が変化した位置の移動方向および移動速度に応じて、出力手段５４が発信する信号を変化させる。このように、制御手段５０は、タッチ検出装置４０により検出される静電容量が変化した位置の軌跡に応じて出力手段５４が発信する信号を変化させる。機器制御手段６０は、出力手段５４からの信号の変化に応じて、液晶パネル３０を制御することで表示の輝度を調節させる。なお、指が凹部１１の縁に沿って移動した場合に機器制御手段６０が変化させる対象は、表示の輝度に限らない。
【００３０】
上述したように、凹部１２の平面形状は略長方形である。指が被タッチ表面１０ｆに接触または近接すると、タッチ検出装置４０は、静電容量が変化した位置を検出する。比較手段５３は、タッチ検出装置４０によって検出される静電容量が変化した位置と位置形状記憶手段５１に記憶された凹部１１、１２、１３の位置とを比較する。例えば、指が凹部１２に接触または近接した場合、当該比較の結果、比較手段５３は、タッチ検出装置４０が凹部１２の近傍で静電容量の変化を検出したと判定する。指が凹部１２に接触または近接した後、凹部１２の縁に沿って移動した場合、軌跡記憶手段５２は、タッチ検出装置４０から受け取った情報から静電容量が変化した位置の軌跡を演算し、直線状の軌跡を記憶する。さらに、軌跡記憶手段５２は、タッチ検出装置４０から受け取った情報と当該情報を受け取った時間とから、静電容量が変化した位置の移動方向および移動速度を演算し、記憶する。そして、タッチ検出装置４０が凹部１２の近傍で静電容量の変化を検出したと判定した比較手段５３は、軌跡記憶手段５２に記憶された直線状の軌跡と位置形状記憶手段５１に記憶された凹部１２の平面形状とを比較する。指が凹部１２の縁に沿って移動したので、当該比較の結果、比較手段５３は、直線状の軌跡が凹部１２の平面形状に沿っていると判定する。当該判定をした比較手段５３は、軌跡記憶手段５２に記憶された静電容量が変化した位置の移動方向および移動速度に応じて、出力手段５４が発信する信号を変化させる。このように、制御手段５０は、タッチ検出装置４０により検出される静電容量が変化した位置の軌跡に応じて出力手段５４が発信する信号を変化させる。機器制御手段６０は、出力手段５４からの信号の変化に応じて、液晶パネル３０を制御することで表示画像をスクロールさせる。なお、指が凹部１２の長辺の縁に沿って移動した場合に機器制御手段６０が変化させる対象は、表示画像のスクロールに限らない。
【００３１】
上述したように、凹部１３の平面形状は円形である。指が被タッチ表面１０ｆに接触または近接すると、タッチ検出装置４０は、静電容量が変化した位置を検出する。比較手段５３は、タッチ検出装置４０によって検出される静電容量が変化した位置と位置形状記憶手段５１に記憶された凹部１１、１２、１３の位置とを比較する。例えば、指が凹部１３に接触または近接した場合、当該比較の結果、比較手段５３は、タッチ検出装置４０が凹部１３の近傍で静電容量の変化を検出したと判定する。指が凹部１３に接触または近接した後、凹部１３の縁に沿って移動した場合、軌跡記憶手段５２は、タッチ検出装置４０から受け取った情報から静電容量が変化した位置の軌跡を演算し、円形状の軌跡を記憶する。さらに、軌跡記憶手段５２は、タッチ検出装置４０から受け取った情報と当該情報を受け取った時間とから、静電容量が変化した位置の移動方向および移動速度を演算し、記憶する。そして、タッチ検出装置４０が凹部１３の近傍で静電容量の変化を検出したと判定した比較手段５３は、軌跡記憶手段５２に記憶された円形状の軌跡と位置形状記憶手段５１に記憶された凹部１３の平面形状とを比較する。指が凹部１３の縁に沿って移動したので、当該比較の結果、比較手段５３は、円形状の軌跡が凹部１３の平面形状に沿っていると判定する。当該判定をした比較手段５３は、軌跡記憶手段５２に記憶された静電容量が変化した位置の移動方向および移動速度に応じて、出力手段５４が発信する信号を変化させる。このように、制御手段５０は、タッチ検出装置４０により検出される静電容量が変化した位置の軌跡に応じて出力手段５４が発信する信号を変化させる。機器制御手段６０は、出力手段５４からの信号の変化に応じて、オーディオを制御することでオーディオの音量を調節させる。なお、指が凹部１３の縁に沿って移動した場合に機器制御手段６０が変化させる対象は、オーディオの音量に限らない。また、指が凹部１３の縁に沿って移動した場合に機器制御手段６０が変化させる対象は、指が凹部１１の縁に沿って移動した場合に機器制御手段６０が変化させる対象と同じであってもよい。
【００３２】
このように、タッチ検出機能付き表示装置１は、凹部１１、１２、１３のうちいずれかの凹部に沿って指が移動した際の入力機能を凹部１１、１２、１３のそれぞれに割り当てることができる。また、指が凹部１１、１２、１３のうちいずれかの凹部の縁に沿って移動した場合に機器制御手段６０が変化させる対象は、操作者が当該凹部の平面形状から想起しやすい対象となっている。
【００３３】
以上より、タッチ検出機能付き表示装置１は、操作者の指を表示面上にある凹部１１、１２、１３に触れさせることで、情報入力を可能にする。また、タッチ検出機能付き表示装置１は、操作者が凹部１１、１２、１３を視認できない状況でも、操作者の触覚を通じて凹部１１、１２、１３の位置を知らせることができる。このため、タッチ検出機能付き表示装置１は、表示面を視認できない状況においても、表示面上での操作による情報入力を容易にすることができる。
【００３４】
また、制御手段５０が、タッチ検出装置４０により検出される静電容量が変化した位置の軌跡に応じて出力手段５４が発信する信号を変化させることができるため、タッチ検出機能付き表示装置１は、操作者の指の動きに応じた情報入力を可能にする。これにより、タッチ検出機能付き表示装置１は、指が凹部１１、１２、１３のうちいずれかの凹部の縁に沿って移動した場合に機器制御手段６０が変化させる対象を、操作者が当該凹部の平面形状から想起しやすい対象とすることができる。このため、タッチ検出機能付き表示装置１は、表示面上での操作による情報入力をより容易にすることができる。
【００３５】
また、タッチ検出機能付き表示装置１は、液晶パネル３０とカバー材１０との間に光学弾性樹脂である緩衝層２０を有することで、カバー材１０と光学弾性樹脂との境界および光学弾性樹脂と液晶パネル３０との境界における光の反射を低減することができる。これらの境界における光の反射が低減すると、凹部１１、１２、１３が目立ちにくくなる。このため、タッチ検出機能付き表示装置１は、凹部１１、１２、１３が液晶パネル３０の表示画像の視認を妨げる可能性を低減することができる。
【００３６】
また、カバー材１０は、被タッチ表面１０ｆにアンチグレア処理を施されることが好ましい。これにより、被タッチ表面１０ｆに入射する光が散乱することで、被タッチ表面１０ｆに映り込みが生じる可能性が低減する。被タッチ表面１０ｆに映り込みが生じにくくなると、凹部１１、１２、１３が目立ちにくくなる。このため、タッチ検出機能付き表示装置１は、凹部１１、１２、１３が液晶パネル３０の表示画像の視認を妨げる可能性を低減することができる。
【００３７】
また、カバー材１０は、被タッチ表面１０ｆにアンチリフレクション処理を施されることが好ましい。これにより、被タッチ表面１０ｆにおける光の反射率が低減する。被タッチ表面１０ｆにおける光の反射が抑えられると、凹部１１、１２、１３が目立ちにくくなる。このため、タッチ検出機能付き表示装置１は、凹部１１、１２、１３が液晶パネル３０の表示画像の視認を妨げる可能性を低減することができる。
【００３８】
また、カバー材１０は、被タッチ表面１０ｆに撥水性塗膜または撥油性塗膜を有することが好ましい。これにより、被タッチ表面１０ｆに付着する指紋等の汚れがはじかれて目立ちにくくなる。また、被タッチ表面１０ｆに付着する指紋等の汚れが拭き取りやすくなる。凹部１１、１２、１３の周辺に付着する指紋等の汚れが目立ちにくくなり拭き取りやすくなると、凹部１１、１２、１３が目立ちにくくなる。このため、タッチ検出機能付き表示装置１は、凹部１１、１２、１３が液晶パネル３０の表示画像の視認を妨げる可能性を低減することができる。
【００３９】
また、カバー材１０は、被タッチ表面１０ｆに親水性塗膜または親油性塗膜を有することが好ましい。これにより、被タッチ表面１０ｆに付着する指紋等の汚れが薄く広がって目立ちにくくなる。凹部１１、１２、１３の周辺に付着する指紋等の汚れが目立ちにくくなると、凹部１１、１２、１３が目立ちにくくなる。このため、タッチ検出機能付き表示装置１は、凹部１１、１２、１３が液晶パネル３０の表示画像の視認を妨げる可能性を低減することができる。
【００４０】
[１−２．実施形態２]
図７は、実施形態２に係るタッチ検出機能付き表示装置の分解模式図である。図７に示すように、タッチ検出機能付き表示装置１Ａは、表示パネルである液晶パネル３０と、緩衝層２０、カバー材１０Ａと、を備えている。なお、上述した実施形態１で説明したものと同じ構成要素には同一の符号を付して重複する説明は省略する。
【００４１】
カバー材１０Ａは、液晶パネル３０の画像を表示する表示面側に重ねられ、表示面を被覆して保護する部材である。例えば、カバー材１０Ａは、ガラスで形成されており、表示面に対して垂直方向から見た形状が長方形である。カバー材１０Ａは、液晶パネル３０と対向する表面と反対側の表面である被タッチ表面１０Ａｆの側に凸部１１Ａ、１２Ａ、１３Ａを有する。また、カバー材１０Ａの液晶パネル３０と対向する表面は、平坦であって緩衝層２０と接触する。なお、カバー材１０Ａは、液晶パネル３０の表面を保護することができ、液晶パネル３０に表示された画像を透過させることができればよく、例えば透明な樹脂のように光を透過する種々の材料で形成することができる。また、カバー材１０Ａは、表示面に対して垂直方向から見た形状が正方形または円形等の長方形以外の形状であってもよい。
【００４２】
図７に示すとおり、例えば、実施形態２における凸部１１Ａ、１３Ａは、平面形状が円形であり、凸部１２Ａは、平面形状が略長方形である。凸部１２Ａは、凸部１１Ａと凸部１３Ａとの間に配置されており、凸部１２Ａの長辺方向は、凸部１１Ａの中心と凸部１３Ａの中心を結ぶ直線方向と平行である。また、凸部１１Ａ、１２Ａ、１３Ａは、カバー材１０Ａの長辺に沿うように配置されており、被タッチ表面１０Ａｆにおいて中央よりも当該長辺に寄って配置されている。
【００４３】
なお、凸部１１Ａ、１２Ａ、１３Ａの配置は、上記のような配置に限らず、自由に配置されてよい。例えば、凸部１１Ａ、１２Ａ、１３Ａは、カバー材１０Ａの短辺に沿うように並べて配置されてもよいし、被タッチ表面１０Ａｆの中央に並べて配置されていてもよい。ただし、凸部１１Ａ、１２Ａ、１３Ａが被タッチ表面１０Ａｆの中央よりも長辺または短辺に寄って配置されていた方が、凸部１１Ａ、１２Ａ、１３Ａが目立ちにくくなる点で好ましい。また、カバー材１０Ａは、凸部１１Ａ、１２Ａ、１３Ａを有さなくてもよく、例えば、凸部１１Ａ、１２Ａ、１３Ａのうちいずれか１つまたは２つを組み合わせて有していてもよい。
【００４４】
図８は、図７におけるＢ−Ｂ’断面を示す図である。図８に示すように、凸部１２Ａは、被タッチ表面１０Ａｆに設けられた高さが寸法Ｌ２の隆起部である。これにより、操作者は、凸部１２Ａの縁に触れることで、凸部１２Ａの位置を知ることができる。例えば、凸部１２Ａは、被タッチ表面１０Ａｆを切削することにより形成される。また、例えば実施形態２における寸法Ｌ２は、０．１ｍｍである。なお、寸法Ｌ２は、０．０２ｍｍ以上０．５ｍｍ以下であることが好ましい。寸法Ｌ２が０．０２ｍｍ以上である場合、カバー材１０Ａは、人間が指の触覚によって凸部１２Ａを認識する可能性を高めることができる。寸法Ｌ２が０．５ｍｍ以下である場合、カバー材１０Ａは、凸部１２Ａが液晶パネル３０の表示画像の視認を妨げる可能性を低減することができる。また、上記の説明は凸部１２Ａに関する説明であるが、凸部１１Ａ、１３Ａについても上記の説明が適用できる。これより、タッチ検出機能付き表示装置１Ａによれば、操作者は、凹部１１Ａ、１２Ａ、１３Ａに触れることで、液晶パネル３０の表示面を視認せずに凹部１１Ａ、１２Ａ、１３Ａの位置を知ることができる。
【００４５】
なお、実施形態１における凸部１１Ａ、１２Ａ、１３Ａは、被タッチ表面１０Ａｆを切削して形成されているが、透明フィルムを用いて形成されてもよい。図９は、透明フィルムを用いて凸部を形成する場合の図７におけるＢ−Ｂ’断面を示す図である。透明フィルムＦ２を用いて凸部を形成する場合、透明フィルムＦ２は、例えば、略長方形であり被タッチ表面１０Ａｆの一部に重なる。凸部１２Ａの壁面は、透明フィルムＦ２の断面である。例えば、透明フィルムＦ２は、ポリエチレンテレフタレート等で形成される飛散防止フィルムであり、厚みが寸法Ｌ２である。これにより、操作者は、凸部１２Ａの縁に触れることで、凸部１２Ａの位置を知ることができる。また、透明フィルムＦ２のほかに２つの円形の透明フィルムが被タッチ表面１０Ａｆの一部に重なる。凸部１１Ａの壁面は、２つの円形の透明フィルムのうち一方の透明フィルムの断面である。凸部１３Ａの壁面は、２つの円形の透明フィルムのうち他方の透明フィルムの断面である。これより、タッチ検出機能付き表示装置１Ａによれば、操作者は、凸部１１Ａ、１２Ａ、１３Ａに触れることで、液晶パネル３０の表示面を視認せずに凸部１１Ａ、１２Ａ、１３Ａの位置を知ることができる。タッチ検出機能付き表示装置１Ａは、透明フィルムＦ２等を備えることで、被タッチ表面１０Ａｆを切削するよりも容易に凸部１１Ａ、１２Ａ、１３Ａを形成することができる。なお、凸部１１Ａ、１２Ａ、１３Ａの壁面は、一部に透明フィルムの断面を含んでいてもよい。例えば、凸部１１Ａ、１２Ａ、１３Ａの壁面の一部が透明フィルムの断面であって、壁面のその他の部分がタッチ検出機能付き表示装置１を取り付ける筐体等で形成されていてもよい。
【００４６】
タッチ検出機能付き表示装置１Ａは、図６に示したタッチ検出装置４０に接続される制御手段５０を有する。上述したように、凸部１１Ａの平面形状は円形である。指が凸部１１Ａの縁に沿って移動した場合、機器制御手段６０は、出力手段５４からの信号の変化に応じて、液晶パネル３０を制御することで表示の輝度を調節させる。なお、指が凸部１１Ａの縁に沿って移動した場合に機器制御手段６０が変化させる対象は、表示の輝度に限らない。
【００４７】
上述したように、凸部１２Ａの平面形状は略長方形である。指が凸部１２Ａの長辺の縁に沿って移動した場合、機器制御手段６０は、出力手段５４からの信号の変化に応じて、液晶パネル３０を制御することで表示画像をスクロールさせる。なお、指が凸部１２Ａの長辺の縁に沿って移動した場合に機器制御手段６０が変化させる対象は、表示画像のスクロールに限らない。
【００４８】
上述したように、凸部１３Ａの平面形状は円形である。指が凸部１３Ａの縁に沿って移動した場合、機器制御手段６０は、出力手段５４からの信号の変化に応じて、オーディオを制御することでオーディオの音量を調節させる。なお、指が凸部１３Ａの縁に沿って移動した場合に機器制御手段６０が変化させる対象は、オーディオの音量に限らない。また、指が凸部１３Ａの縁に沿って移動した場合に機器制御手段６０が変化させる対象は、指が凸部１１Ａの縁に沿って移動した場合に機器制御手段６０が変化させる対象と同じであってもよい。
【００４９】
このように、タッチ検出機能付き表示装置１Ａは、凸部１１Ａ、１２Ａ、１３Ａのうちいずれかの凸部に沿って指が移動した際の入力機能を凸部１１Ａ、１２Ａ、１３Ａのそれぞれに割り当てることができる。また、指が凸部１１Ａ、１２Ａ、１３Ａのうちいずれかの凸部の縁に沿って移動した場合に機器制御手段６０が変化させる対象は、操作者が当該凸部の平面形状から想起しやすい対象となっている。
【００５０】
また、カバー材１０Ａは、被タッチ表面１０Ａｆにアンチグレア処理を施されることが好ましい。これにより、被タッチ表面１０Ａｆに入射する光が散乱することで、被タッチ表面１０Ａｆに映り込みが生じる可能性が低減する。被タッチ表面１０Ａｆに映り込みが生じにくくなると、凸部１１Ａ、１２Ａ、１３Ａが目立ちにくくなる。このため、カバー材１０Ａは、凸部１１Ａ、１２Ａ、１３Ａが液晶パネル３０の表示画像の視認を妨げる可能性を低減することができる。
【００５１】
また、カバー材１０Ａは、被タッチ表面１０Ａｆにアンチリフレクション処理を施されることが好ましい。これにより、被タッチ表面１０Ａｆにおける光の反射率が低減する。被タッチ表面１０Ａｆにおける光の反射が抑えられると、凸部１１Ａ、１２Ａ、１３Ａが目立ちにくくなる。このため、カバー材１０Ａは、凸部１１Ａ、１２Ａ、１３Ａが液晶パネル３０の表示画像の視認を妨げる可能性を低減することができる。
【００５２】
また、カバー材１０Ａは、被タッチ表面１０Ａｆに撥水性塗膜または撥油性塗膜を有することが好ましい。これにより、被タッチ表面１０Ａｆに付着する指紋等の汚れがはじかれて目立ちにくくなる。また、被タッチ表面１０Ａｆに付着する指紋等の汚れが拭き取りやすくなる。凸部１１Ａ、１２Ａ、１３Ａの周辺に付着する指紋等の汚れが目立ちにくくなり拭き取りやすくなると、凸部１１Ａ、１２Ａ、１３Ａが目立ちにくくなる。このため、カバー材１０Ａは、凸部１１Ａ、１２Ａ、１３Ａが液晶パネル３０の表示画像の視認を妨げる可能性を低減することができる。
【００５３】
また、カバー材１０Ａは、被タッチ表面１０Ａｆに親水性塗膜または親油性塗膜を有することが好ましい。これにより、被タッチ表面１０Ａｆに付着する指紋等の汚れが薄く広がって目立ちにくくなる。凸部１１Ａ、１２Ａ、１３Ａの周辺に付着する指紋等の汚れが目立ちにくくなると、凸部１１Ａ、１２Ａ、１３Ａが目立ちにくくなる。このため、カバー材１０Ａは、凸部１１Ａ、１２Ａ、１３Ａが液晶パネル３０の表示画像の視認を妨げる可能性を低減することができる。
【００５４】
［変形例１］
以下の変形例についての説明は、実施形態１を例に挙げているが、以下の変形例は、凹部を凸部に変更することで実施形態２に適用することもできる。図１０は、変形例１に係るカバー材を示す斜視図である。変形例１にカバー材１０Ｂは、液晶パネル３０と対向する表面と反対側の表面である被タッチ表面１０Ｂｆの側に凹部１４、１５を有する。図１０に示すように、凹部１４、１５は、平面形状が互いに同じ形状の三角形であり、互いに１８０度異なる方向を向いて配置されている。また、凹部１４、１５は、カバー材１０Ｂの短辺に沿うように配置されており、被タッチ表面１０Ｂｆにおいて中央よりも当該短辺に寄って配置されている。
【００５５】
なお、凹部１４、１５の配置は、上記のような配置に限らず、自由に配置されてよい。例えば、凹部１４、１５は、カバー材１０Ｂの長辺に沿うように並べて配置されてもよいし、被タッチ表面１０Ｂｆの中央に配置されていてもよい。ただし、凹部１４、１５が被タッチ表面１０Ｂｆの中央よりも長辺または短辺に寄って配置されていた方が、凹部１４、１５が目立ちにくくなる点で好ましい。また、カバー材１０Ｂは、凹部１４、１５のほかに上述した凹部１１、１２、１３のうちいずれか１つまたは複数を組み合わせて有していてもよい。
【００５６】
変形例１において、機器制御手段６０は、出力手段５４からの信号の変化に応じて、外部装置であるオーディオを制御する。例えば、指が凹部１４に触れた場合、機器制御手段６０は、外部装置であるオーディオを制御することで、オーディオの音量を上げる。指が凹部１５に触れた場合、機器制御手段６０は、オーディオを制御することでオーディオの音量を下げる。なお、指が凹部１４、１５の近傍に触れた場合に機器制御手段６０が変化させる対象は、オーディオの音量に限らない。
【００５７】
［変形例２］
図１１は、変形例２に係るカバー材を示す斜視図である。変形例２に係るカバー材１０Ｃは、液晶パネル３０と対向する表面と反対側の表面である被タッチ表面１０Ｃｆの側に凹部１６を有する。図１１に示すように、凹部１６は、平面形状が十字形であり、被タッチ表面１０Ｃｆの隅に配置されている。凹部１６は、十字形の中央に位置する中央部１６０と、中央部１６０から１方向に突出する突出部１６１と、中央部１６０から突出部１６１が突出する方向と９０度異なる方向に突出する突出部１６２と、中央部１６０から突出部１６１と反対方向に突出する突出部１６３と、中央部１６０から突出部１６２と反対方向に突出する突出部１６４と、を含む。
【００５８】
なお、凹部１６の配置は、上記のような配置に限らず、自由に配置されてよい。例えば、凹部１６は、被タッチ表面１０Ｃｆの中央よりもカバー材１０Ｃの長辺または短辺に寄って当該長辺または当該短辺の中点付近に配置されてもよいし、被タッチ表面１０Ｃｆの中央に配置されていてもよい。ただし、凹部１６が被タッチ表面１０Ｃｆの中央よりも長辺または短辺に寄って配置されていた方が、凹部１６が目立ちにくくなる点で好ましい。また、カバー材１０Ｃは、凹部１６のほかに上述した凹部１１、１２、１３、１４、１５のうちいずれか１つまたは複数を組み合わせて有していてもよい。
【００５９】
変形例２において、機器制御手段６０は、出力手段５４からの信号の変化に応じて、液晶パネル３０を制御する。例えば、指が凹部１６の突出部１６１に触れた場合、機器制御手段６０は、液晶パネル３０を制御することで、突出部１６１が中央部１６０から突出する方向と同じ方向に表示画像をスクロールさせる。指が凹部１６の突出部１６２に触れた場合、機器制御手段６０は、液晶パネル３０を制御することで、突出部１６２が中央部１６０から突出する方向と同じ方向に表示画像をスクロールさせる。指が凹部１６の突出部１６３に触れた場合、機器制御手段６０は、液晶パネル３０を制御することで、突出部１６３が中央部１６０から突出する方向と同じ方向に表示画像をスクロールさせる。指が凹部１６の突出部１６４に触れた場合、機器制御手段６０は、液晶パネル３０を制御することで、突出部１６４が中央部１６０から突出する方向と同じ方向に表示画像をスクロールさせる。
【００６０】
なお、変形例２において、機器制御手段６０は、出力手段５４からの信号の変化に応じて、外部装置であるオーディオを制御してもよい。例えば、指が凹部１６の突出部１６１に触れた場合、機器制御手段６０は、外部装置であるオーディオを制御することでオーディオの音量を上げる。指が凹部１６の突出部１６３に触れた場合、機器制御手段６０は、オーディオを制御することでオーディオの音量を下げる。指が凹部１６の突出部１６２に触れた場合、機器制御手段６０は、外部装置であるオーディオを制御することでオーディオの選曲を次に進める。指が凹部１６の突出部１６４に触れた場合、機器制御手段６０は、オーディオを制御することでオーディオの選曲を前に戻す。なお、指が凹部１６に触れた場合に機器制御手段６０が変化させる対象は、上述した対象に限らない。
【００６１】
なお、変形例２において、静電容量が変化した位置の移動方向が凹部１６の縁に沿った方向であった場合に、比較手段５３が出力手段５４の発信する信号を変化させてもよい。例えば、指が突出部１６１、１６２、１６３、１６４のうちいずれかの突出部から反対側の突出部に向かう方向に移動した場合に、機器制御手段６０が、液晶パネル３０を制御することで当該方向に表示画像をスクロールさせてもよい。
【００６２】
［変形例３］
図１２は、変形例３に係るカバー材を示す斜視図である。変形例３に係るカバー材１０Ｄは、液晶パネル３０と対向する表面と反対側の表面である被タッチ表面１０Ｄｆの側に凹部１１、１２、１３を有する。また、被タッチ表面１０Ｄｆは、凸曲面である。このように、被タッチ表面１０Ｄｆが凸曲面であることによって、操作者は、被タッチ表面１０Ｄｆを触ったときに被タッチ表面１０Ｄｆ全体のうちのどの部分を触っているかを認識しやすくなる。このため、操作者は、表示面上にある凹部１１、１２、１３の位置を把握しやすくなる。よって、変形例３に係るタッチ検出機能付き表示装置１は、表示面を視認できない状況においても、表示面上での操作による情報入力をさらに容易にすることができる。なお、被タッチ表面１０Ｄｆは、凹曲面であってもよい。
【００６３】
＜２．適用例（電子機器）＞
図１３は、実施形態および変形例に係るタッチ検出機能付き表示装置を適用する電子機器の一例を示す図である。上述した実施形態および変形例に係るタッチ検出機能付き表示装置１は、カーナビゲーションシステム、テレビジョン装置、デジタルカメラ、ノート型パーソナルコンピュータ、携帯電話等の携帯端末装置あるいはビデオカメラなどのあらゆる分野の電子機器に適用することが可能である。言い換えると、実施形態および変形例に係るタッチ検出機能付き表示装置１は、外部から入力された映像信号あるいは内部で生成した映像信号を、画像あるいは映像として表示するあらゆる分野の電子機器に適用することが可能である。電子機器は、液晶パネル３０に映像信号を供給し、液晶パネル３０の動作を制御する制御装置を備える。
【００６４】
図１３に示す電子機器は、実施形態および変形例に係るタッチ検出機能付き表示装置１が適用されるカーナビゲーション装置である。タッチ検出機能付き表示装置１は、自動車の車内のダッシュボード３００に設置される。具体的にはダッシュボード３００の運転席３１１と助手席３１２の間に設置される。カーナビゲーション装置のタッチ検出機能付き表示装置１は、ナビゲーション表示、オーディオ操作画面の表示、映画再生表示、または、電話の相手の画像表示等に利用される。また、上述した凹部または凸部は、被タッチ表面１０ｆのうち運転席に近い側に配置される方が好ましい。このようにすることで、タッチ検出機能付き表示装置１は、操作者の手が凹部または凸部に届きやすくなることで、操作者による情報入力を容易にすることができる。
【００６５】
また、上述した内容により実施形態が限定されるものではない。また、上述した実施形態の構成要素には、当業者が容易に想到できるもの、実質的に同一のもの、いわゆる均等の範囲のものが含まれる。さらに、上述の実施形態の要旨を逸脱しない範囲で構成要素の種々の省略、置換及び変更を行うことができる。
【００６６】
＜３．本開示の構成＞
また、本開示は、以下の構成をとることもできる。
【００６７】
（１）静電容量式のタッチ検出装置を有し、画像を表示する表示面を有する表示パネルと、前記表示パネルの前記表示面側に重ねられ、前記表示パネルと対向する表面と反対側の表面である被タッチ表面の側に凹部または凸部を有するカバー材と、前記タッチ検出装置が前記凹部または前記凸部の近傍で静電容量の変化を検出したときに信号を発信できる制御手段と、を含むタッチ検出機能付き表示装置。
【００６８】
（２）前記制御手段は、前記タッチ検出装置により検出される静電容量が変化した位置の軌跡に応じて前記信号を変化させることができる、前記（１）に記載のタッチ検出機能付き表示装置。
【００６９】
（３）前記カバー材は、前記被タッチ表面にアンチグレア処理が施される、前記（１）または前記（２）に記載のタッチ検出機能付き表示装置。
【００７０】
（４）前記カバー材は、前記被タッチ表面にアンチリフレクション処理が施される、前記（１）から前記（３）のいずれか１つに記載のタッチ検出機能付き表示装置。
【００７１】
（５）前記カバー材は、前記被タッチ表面に撥水性塗膜または撥油性塗膜を有する、前記（１）から前記（４）のいずれか１つに記載のタッチ検出機能付き表示装置。
【００７２】
（６）前記カバー材は、前記被タッチ表面に親水性塗膜または親油性塗膜を有する、前記（１）から前記（４）のいずれか１つに記載のタッチ検出機能付き表示装置。
【００７３】
（７）前記表示パネルと前記カバー材との間に、光学弾性樹脂を有する、前記（１）から前記（６）のいずれか１つに記載のタッチ検出機能付き表示装置。
【００７４】
（８）前記被タッチ表面の一部に重なる透明フィルムをさらに備え、前記凹部の壁面は、前記透明フィルムの断面を含む、前記（１）から前記（７）のいずれか１つに記載のタッチ検出機能付き表示装置。
【００７５】
（９）前記被タッチ表面の一部に重ねられる透明フィルムをさらに備え、前記凸部の壁面は、前記透明フィルムの断面を含む、前記（１）から前記（７）のいずれか１つに記載のタッチ検出機能付き表示装置。
【００７６】
（１０）前記凹部または前記凸部は、前記被タッチ表面に対して垂直な方向から見た形状が円形である、前記（１）から前記（９）のいずれか１つに記載のタッチ検出機能付き表示装置。
【００７７】
（１１）前記凹部または前記凸部は、前記被タッチ表面に対して垂直な方向から見た形状が長方形である、前記（１）から前記（９）のいずれか１つに記載のタッチ検出機能付き表示装置。
【００７８】
（１２）前記凹部または前記凸部は、前記被タッチ表面に対して垂直な方向から見た形状が三角形である、前記（１）から前記（９）のいずれか１つに記載のタッチ検出機能付き表示装置。
【００７９】
（１３）前記凹部または前記凸部は、前記被タッチ表面に対して垂直な方向から見た形状が十字形である、前記（１）から前記（９）のいずれか１つに記載のタッチ検出機能付き表示装置。
【００８０】
（１４）前記カバー材は、前記被タッチ表面が凸曲面または凹曲面である、前記（１）から前記（１３）のいずれか１つに記載のタッチ検出機能付き表示装置。
【００８１】
（１５）タッチ検出機能付き表示装置を備える電子機器であって、前記タッチ検出機能付き表示装置は、前記（１）から前記（１４）のいずれか１つに記載のタッチ検出機能付き表示装置である、電子機器。
【００８２】
（１６）静電容量式のタッチ検出装置と、画像を表示する表示面とを有する表示パネルに重ねるためのカバー材であって、前記表示パネルと対向する表面と反対側の表面である被タッチ表面の側に凹部または凸部を備える、カバー材。
【符号の説明】
【００８３】
１  タッチ検出機能付き表示装置
１０、１０Ａ、１０Ｂ、１０Ｃ、１０Ｄ  カバー材
１０ｆ、１０Ａｆ、１０Ｂｆ、１０Ｃｆ、１０Ｄｆ  被タッチ表面
１０ｂ  背面
１１、１２、１３、１４、１５、１６  凹部
１１Ａ、１２Ａ、１３Ａ  凸部
１６０  中央部
１６１、１６２、１６３、１６４  突出部
２０  緩衝層
３０  液晶パネル
４０  タッチ検出装置
５０  制御手段
５１  位置形状記憶手段
５２  軌跡記憶手段
５３  比較手段
５４  出力手段
６０  機器制御手段
３００  ダッシュボード
３１１  運転席
３１２  助手席
Ｌ１、Ｌ２  寸法
Ｆ１、Ｆ２  透明フィルム
【図１】
2015055938.tif 000003
【図２】
2015055938.tif 000004
【図３】
2015055938.tif 000005
【図４】
2015055938.tif 000006
【図５】
2015055938.tif 000007
【図６】
2015055938.tif 000008
【図７】
2015055938.tif 000009
【図８】
2015055938.tif 000010
【図９】
2015055938.tif 000011
【図１０】
2015055938.tif 000012
【図１１】
2015055938.tif 000013
【図１２】
2015055938.tif 000014
【図１３】
2015055938.tif 000015